(57)【要約】【課題】  羽根を一枚づつ製作し、これを上下板に固定して製作する多翼ファンにおいて、円筒体に対する上板、下板（動力伝達板）の接合強度を有効に利用して羽根同士を強固に連結する。【解決手段】  隣設する羽根構成板１の上下端板部２１、２１、２１、２１同士を所要間隔に接近させて連結する連結部６１ａを立上げて立上げ端６１とし、該立上げ端６１に上板３、下板を加締固定して、連結部６１ａの連結強度を倍加させる。【選択図】  図７
2005133570.tif 000002
【特許請求の範囲】
【請求項１】
所定の曲率に湾曲する羽根翼巾方向の両端に所望長さの上下端板部を設けて必要枚の羽根構成板を形成し、隣設する羽根構成板の上下端板部同士を所要間隔に接近させて連結して円筒体を構成し、該円筒体の前記上下端板部の端部に立上形成した立上げ端を上下板に加締固定する多翼ファンにおいて、前記立上げ端に前記連結部を設け、該立上げ端に上下板を加締固定していることを特徴とする多翼ファン。
【請求項２】
所定の曲率に湾曲する羽根翼巾方向の両端に所望長さの上下端板部を設けて必要枚の羽根構成板を形成し、隣設する羽根構成板の上下端板部同士を所要間隔に接近させて連結して円筒体を構成し、該円筒体の前記上下端板部の端部に立上形成した立上げ端を上下板に加締固定する多翼ファンにおいて、前記各羽根構成板は、上下端板部の羽根翼巾方向中途部から羽根翼長方向に並んで立上げ板部と差込係止片とを各々立上可能とするとともに前記立上げ板部の立上げ境界部もしくは同境界部近傍に差込孔を開孔し、前記円筒体は、隣設する羽根構成板相互間において差込孔に差込係止する差込係止片に前記立上げ板部を係止固定して連結部兼用の立上げ端を形成し、該立上げ端に前記上下板を加締固定していることを特徴とする多翼ファン。
【発明の詳細な説明】
【技術分野】
【０００１】
本発明は、多翼ファン、更に詳しくは羽根を一枚づつ製作し、これを上板、下板に固定して製作する多翼ファンに関するものである。
【背景技術】
【０００２】
従来、送風機等に用いられるファンとしては小型で高圧力、大風量を得るために多翼ファンが多用されている。
多翼ファンは、必要枚数の羽根を一枚の板から切り起こした基板をリング状に巻き、上板と下板とを加締固定したり、平板を円筒状に絞った後、胴の部分に羽根を切り起こすタイプ（後述では前者と称する）の他に、ファンの羽根を一枚づつ製作し、この羽根の両端を相互に連結して円筒体を構成し、該円筒体をドーナツ状の上板、円板状の下板（動力伝達板）に加締固定するタイプ（後述では後者と称する）がある（例えば特許文献１）。
【０００３】
前記特許文献（後者）１は、羽根の枚数や長さが自由に設計できることから、ファンの外径から自ずと基板の長さが決定されて羽根枚数が制限される前者に比べて性能的に向上するファンを作ることが可能である。
そして、隣設する羽根相互間において上下端板部の一方に設けた掛止部（掛止突部）を他方に設けた被掛止部（掛止溝）に掛止して円筒体を構成した後、上下端板部の端部から立上げた立上げ板部を上下板に加締固定して形成される。
その加締固定は、従来周知のダブルシーマと呼称される加締機を使用して行なわれるが、全周において加締による接合強度にバラツキが生じることがあり、長期の使用で下板（動力伝達板）に対して円筒体が、また円筒体に対して上板が各々ズレたり、空回りして所定の送風性能を維持できなくしたり、全体のバランスを崩してモータとの接続部等に負荷を掛け、耐久性を低下させる要因になってしまう。
また、羽根同士の連結に際しても、強度が要求されており、前記する掛止部（掛止突部）と被掛止部（掛止溝）との単なる掛止にあっては、長期に亘って安定した連結強度を維持できなくなる虞れがあった。しかも、掛止部（掛止突部）と、被掛止部（掛止溝）との掛合部が露出して、清掃時に邪魔になり怪我させてしまう問題もあった。
【特許文献１】特開平８−２８４９４号公報
【発明の開示】
【発明が解決しようとする課題】
【０００４】
本発明は上記従来事情に鑑みてなされたもので、その技術的課題は、羽根を一枚づつ製作し、これを上下板に固定して製作する多翼ファンにおいて、円筒体の上板や下板（動力伝達板）との接合強度を有効に利用して羽根同士を強固に連結することである。
更に他の技術的課題は、羽根同士の連結部を有効利用して円筒体の上板、下板（動力伝達板）に対する接合強度を増強することである。
【課題を解決するための手段】
【０００５】
前記課題を解決するために講じた技術的手段は、所定の曲率に湾曲する羽根翼巾方向の両端に所望長さの上下端板部を設けて必要枚の羽根構成板を形成し、隣設する羽根構成板の上下端板部同士を所要間隔に接近させて連結して円筒体を構成し、該円筒体の前記上下端板部の端部に立上形成した立上げ端を上下板に加締固定する多翼ファンにおいて、前記立上げ端に前記連結部を設け、該立上げ端に上下板を加締固定していることを特徴とする多翼ファンである（請求項１）。
そして、その具体例の一例としては、前記各羽根構成板は、上下端板部の羽根翼巾方向中途部から羽根翼長方向に並んで立上げ板部と差込係止片とを各々立上可能とするとともに前記立上げ板部の立上げ境界部もしくは同境界部近傍に差込孔を開孔して形成し、前記円筒体は、隣設する羽根構成板相互間において差込孔に差込係止する差込係止片に前記立上げ板部を係止固定して連結部兼用の立上げ端を形成し、該円筒体の立上げ端に前記上下板を加締固定する。構成を挙げることができる（請求項２）。
【０００６】
上記手段によれば、隣設する羽根構成板の上下端板部同士を所要間隔に接近させて連結するその羽根構成板相互の連結強度を上下板の加締固定力で増強する（請求項１）。
そして、請求項２にあっては、差込孔に差込係止する差込係止片に立上げ板部を係止固定して形成された立上げ端を巻き込んで上板、下板を加締固定して、羽根構成板相互の連結強度を増強し、その加締固定時に、差込係止片とその後方に位置する立上げ板部とからなる立上げ端で形成される段差構造に喰い込む喰込み部を上板、下板に形成する。
【発明の効果】
【０００７】
本発明は以上のように構成したから、下記の利点がある。
（請求項１）立上げ端に羽根構成板相互の連結部を設け、その立上げ端を上下板に加締固定しているので、連結部の連結強度が倍加し、長期に亘って安定した羽根構成板相互の連結強度を発揮して、連結が緩んで羽根構成板の角度が変化したりすることがなく、恒久的に所定の送風性能を維持できる。
その上、その連結部が露出しないので、その連結部が突起物として清掃を阻害したり、怪我させるような虞れもない。
（請求項２）しかも、連結部の段差構造（差込係止片とその差込係止片に係止固定する立上げ板部とで構成される段差構造）が加締固定時に円筒体との相対的なズレを阻止する喰込み部を上板、下板に形成し、長期使用で下板（動力伝達板）に対して円筒体、円筒体に対して上板がズレる虞れが無く、耐久信頼性を向上できる。
その上、前記喰込み部がリブ的機能を有するので、上板や下板が長期の使用で歪むような心配も無くなる。
【発明を実施するための最良の形態】
【０００８】
以下、本発明多翼ファンの実施の形態例を図１〜図９に示している。
【実施例１】
【０００９】
図１〜図９において、多翼ファンＡは、羽根１１を有する必要枚の羽根構成板１と、隣設する羽根構成板１…同士を連結して形成する円筒体２と、該円筒体２の両端部に加締固定する上板３、下板４とを備えている。
【００１０】
羽根構成板１は、図２等に示すように所定の曲率に湾曲する羽根１１の翼巾Ｗ方向上下端部に幅狭部７１を介して羽根１１の翼長Ｌ方向を向く所望長さ寸法の上下端板部２１、２１を連設すると共に、該上下端板部２１、２１中途部からその翼長Ｌ方向に並んで立上げ板部３１と差込係止片４１を立上げ可能に形成して、必要枚製作用意されている。
【００１１】
前記立上げ板部３１の立上げ境界部もしくは同境界部近傍には図２等に示すように差込孔５１が開孔されている。
【００１２】
該差込孔５１は、隣設する羽根構成板１…相互間において隣設する差込係止片４１を差込係止できるように長孔状に開孔されている。
【００１３】
円筒体２は、図３に示すように隣設する羽根構成板１…を所要間隔に接近させて上端板部２１、２１同士、下端板部２１、２１同士において立上形成した差込係止片４１を差込孔５１に差込係止し、図４、図５に示すように外側からその差込係止片４１に係止固定されるように立上げ板部３１を立上形成して連結部６１ａ兼用の立上げ端６１を形成して長方形状に連結され、その後に円状に巻回される。
【００１４】
また、前記円筒体２は、図６、図７に示すように前記上側の立上げ端６１…群を巻き込んでリング状の上板３を、また下側の立上げ端６１…群を巻き込んでモータの回転軸を取り付けるためにボス部を備えた下板４を各々加締固定して多翼ファンＡが組み立て形成される。
【００１５】
組立形成された多翼ファンＡは、図９に示すように羽根構成板１…相互の連結部６１ａが差込係止片４１とその後方に位置する立上げ板部３１とからなる立上げ端６１で形成される段差構造５を形成し、該段差構造５を巻き込んで上板３、下板４が図７に示すように加締固定されるので、その連結部６１ａが上板３、下板４で露出せずにカバーされた状態でその連結強度が加締固定で倍加される。
また、その段差構造５の起伏に加締固定時の上板３、下板４が同図９に示すように喰い込んでリブ的機能を有する喰込み部６を形成し、円筒体２に対する上板３、下板４の相対的なズレを防止すると共に、上板３、下板４の長期使用での耐久性の劣化が防止される。
【図面の簡単な説明】
【００１６】
【図１】本実施の形態多翼ファンの分解斜視図。
【図２】羽根構成板の平面図。
【図３】羽根構成板同士を連結する前の状態を示す斜視図。
【図４】羽根構成板同士の連結状態を示す斜視図。
【図５】図４の部分拡大断面図。
【図６】円筒体に上板をセットした加締固定前の状態を示す部分断面図。
【図７】円筒体に上板を加締固定した状態を示す部分断面図。
【図８】図７の平面図で一部切欠して示す。
【図９】図７の側面図で一部切欠して示す。
【符号の説明】
【００１７】
Ａ：多翼ファン          １１：羽根
１：羽根構成板          ２１：上下端板部
３１：立上げ板部          ４１：差込係止片
５１：差込孔              ６１：立上げ端
６１ａ：連結部                ３：上板
４：下板                  ２：円筒体
【図１】
2005133570.tif 000003
【図２】
2005133570.tif 000004
【図３】
2005133570.tif 000005
【図４】
2005133570.tif 000006
【図５】
2005133570.tif 000007
【図６】
2005133570.tif 000008
【図７】
2005133570.tif 000009
【図８】
2005133570.tif 000010
【図９】
2005133570.tif 000011